(57)【要約】      （修正有）【課題】犬の日常の散歩時や繋がれている時にリードの先端のスナップが外れないようにするリード先端のスナップ用具を提供する。【解決手段】犬の首輪のリングを取り外せるように、フック開口部をもつ円状系のフック部１と、長手方向に円柱状の支持部１−１、ロッド把手３、ロッド軸４、リードを接続する連結リング５からなり、円柱状の支持部１−１には、スライド自在で、常時はバネにより付勢されてフック開口部を開閉するロッド軸４を有し、当該ロッド軸４は、円柱状の支持部１−１に設けたロッド把手３と円筒形ツマミによりせきとめられ、ロッド軸４をスライドさせてフック開口部を開閉できるスナップにおいて、スナップが閉じているときに、スナップが開かないように固定部材でロッド把手３、又はロッド軸４を固定することを特徴とする。【選択図】図１
0003158101.tif 000002
【実用新案登録請求の範囲】
【請求項１】
犬の首輪のリングに接続し、かつ、リードの先端を接続するフック状のスナップで、このスナップは、犬の首輪のリングを取り外せるように、フック開口部をもつ円状系のフック部1と、円柱状の支持部1-1、ロッド把手3、ロッド軸4、リードを接続する連結リング5からなり、円柱状の支持部1-1には、スライド自在で、常時はコイルバネ6により付勢されてフック開口部1-2を開閉するロッド軸4を有し、当該ロッド軸4を円柱状の支持部1-1に設けたロッド把手3によりスライドさせてフック開口部1-2を開閉でき、スナップが閉じているときに、スナップが開かないようにロッド把手3、又はロッド軸4を固定することを特徴とする固定機能付きスナップ用具。
【請求項２】
前記円柱状の支持部1-1の表面にスパイラル状の雄ネジをほどこした内輪ネジ8-1と、その内輪ネジ8-1にかみ合わせる雌ネジである円筒状、その内側にネジをほどこした外輪ネジ8を設け、外輪ネジ8を回し上げながら締めることにより外輪ネジ8はロッド把手3方向に移動し、ロッド把手3を締めつけ、ロッド把手3を固定し、ロッド軸4が開かないように固定することを特徴とする請求項1に記載の固定機能付きスナップ用具。
【請求項３】
円柱状の支持部1-1に一つの突起である支持部突起物1-1-1を設け、円柱系の支持部1-1の周りに設置された円筒形ツマミ9の内側に、一直線状の溝であるツマミレール9-1、その左端にツマミレール左溝9-1-2、右端にツマミレール右溝9-1-1なる溝を設け、円筒形ツマミ9を左に回し、ツマミレール左溝9-1-2の位置に合わせることにより、ロッド把手3を下方に移動してフック開口部1-2を開くことができ、ツマミレール左端9-1-2の位置からツマミレール右溝9-1-1に回転させる事により、ロッド把手3は円筒形ツマミ9によりせきとめられ下方向に移動できなくなり、ロッド軸4は固定されることを特徴とする請求項1固定機能付きスナップ。
【考案の詳細な説明】
【技術分野】
【０００１】
この発明は犬の日常の散歩時や繋がれている時にリードの先端のスナップが外れないようにすることを目的とするリード先端のスナップ用具に関するものである。
【背景技術】
【０００２】
従来、犬の散歩時等、引っ張られながら散歩をしている光景をよく見る。他の犬を見た時、獲物等を見た時に瞬時に引っ張ることが多い。犬の体に虫や雨の滴等が付着した時、又は、室内から外へ出た時に湿度差を感じた時等に体を震えさす習性があり、この時にリード先端のスナップが首輪から外れて犬が逃げ出し、人間や交通、犬等に害を及ぼす危険な場合がある。現状のスナップは、図3に示すように円状系のスナップ本体1と、円柱状の支持部1-1とリード用具の回転部2とロッド把手3と連結リング5とコイルバネ6とロッド軸4とで構成され簡単に開閉できるようになっている。
【０００３】
図3に示すように、犬の動作等でスナップ本体にコイルバネ6と連結されているロッド軸4とロッド把手3が振動により首輪の縫着リング7と摩擦し、すき間ができ外れやすい現象であることが問題となっている。
【先行技術文献】
【特許文献】
【０００４】
【特許文献１】実用新案登録第３１３９０７２号公報
【考案の概要】
【考案が解決しようとする課題】
【０００５】
図3に示すように従来のリード先端のスナップは、ロッド把手3を開閉することによりコイルバネ6が圧縮又は伸張され、首輪に縫着されている縫着リング7を取り付け又は取り外す構造である。この構造は、力をあまり入れずに簡単に開閉できることを特徴としているが、簡単に開閉できるということはコイルバネ6が弱いから犬を繋いでいる時、散歩等で犬の習性による引っ張り等で瞬時にかかる瞬発力等の動きや震動でロッド把手3と連結されているロッド軸4とコイルバネ6が震動により動きその拍子に首輪の縫着リング7から外れるので、その外れを防止する手法を提供する。
【課題を解決するための手段】
【０００６】
犬の首輪のリングに接続し、かつ、リードの先端を接続するフック状のスナップで、このスナップは、犬の首輪のリングを取り外せるように、フック開口部をもつ円状系のフック部1と、円柱状の支持部1-1、ロッド把手3、ロッド軸4、リードを接続する連結リング5からなり、円柱状の支持部1-1には、スライド自在で、常時はコイルバネ6により付勢されてフック開口部1-2を開閉するロッド軸4を有し、当該ロッド軸4を円柱状の支持部1-1に設けたロッド把手3によりスライドさせてフック開口部1-2を開閉でき、スナップが閉じているときに、スナップが開かないようにロッド把手3、又はロッド軸4を固定する固定機能付きスナップ用具である。
【０００７】
円柱状の支持部1-1の表面にスパイラル状の雄ネジをほどこした内輪ネジ8-1と、その内輪ネジ8-1にかみ合わせる雌ネジである円筒状、その内側にネジをほどこした外輪ネジ8を設け、外輪ネジ8を回し上げながら締めることにより外輪ネジ8はロッド把手3方向に移動し、ロッド把手3を締めつけ、ロッド把手3を固定し、ロッド軸4が開かないように固定する固定機能付きスナップ用具である。
【０００８】
円柱状の支持部1-1に一つの突起である支持部突起物1-1-1を設け、円柱系の支持部1-1の周りに設置された円筒形ツマミ9の内側に、一直線状の溝であるツマミレール9-1、その左端にツマミレール左溝9-1-2、右端にツマミレール右溝9-1-1なる溝を設け、円筒形ツマミ9を左に回し、ツマミレール左溝9-1-2の位置に合わせることにより、ロッド把手3を下方に移動してフック開口部1-2を開くことができ、ツマミレール左端9-1-2の位置からツマミレール右溝9-1-1に回転させる事により、ロッド把手3は円筒形ツマミ9によりせきとめられ移動できなくなり、ロッド軸4は固定される固定機能付きスナップである。
【考案の効果】
【０００９】
上述のように、この発明の犬のリード先端のスナップによれば外に繋いでいる時も散歩の時でも犬の習性による震動で首輪から外れていたがスナップ本体に固定機能を付加することにより、外れるという問題を解消することができる。
【図面の簡単な説明】
【００１０】
【図１】ネジ方式によるスナップの構成
【図２】回転式によるスナップの構成
【図３】従来のスナップの構成
【考案を実施するための形態】
【００１１】
本発明のスナップの構成を図1と図2に示す。
本発明のスナップ用具は、犬の首輪のリングに接続し、かつ、リードの先端を接続するフック状のスナップで、このスナップは、犬の首輪のリングを取り外せるように、フック開口部1-2をもつ円状系のフック部1と、長手方向に円柱状の支持部1-1、ロッド把手3、ロッド軸4、リードを接続する連結リング5からなり、円柱状の支持部1-1には、スライド自在で、常時はコイルバネ6により付勢されてフック開口部1-2を開閉するロッド軸4を有し、当該ロッド軸4は円柱状の支持部1-1に設けたロッド把手3によりロッド軸4をスライドさせてフック開口部1-2を開閉できるスナップにおいて、スナップが閉じているときに、スナップが開かないようにロッド把手3、又はロッド軸4を固定することを特徴とするスナップ用具である。
【実施例１】
【００１２】
図1にネジ方式によるスナップの構成を示す。図1に示すように円柱系の支持部1-1の表面にスパイラル状の雄ネジをほどこした内輪ネジ8-1と、その内輪ネジ8-1にかみ合わせる雌ネジである円筒状で、その内側にネジをほどこした外輪ネジ8で構成されている。外輪ネジ8を回し上げながら締めることにより外輪ネジ8はロッド把手3方向に移動し、ロッド把手3を締めつけ、ロッド把手3を固定し、ロッド軸4が開かないように固定する。
【実施例２】
【００１３】
図2に回転式によるスナップの構成を示す。
円柱系の支持部1-1に一つの突起である支持部突起物1-1-1を設けてあり、円柱系の支持部1-1の周りに設置された円筒形ツマミ9の内側に一直線状の溝であるツマミレール9-1、その左端にツマミレール左溝9-1-2、右端にツマミレール右溝9-1-1を設けている。円筒形ツマミ9を左に回し、ツマミレール左溝9-1-2の位置に合わせることにより、ロッド把手3を下方に移動できフック開口部1-2を開くことができる。ツマミレール左端9-1-2の位置からツマミレール右溝9-1-1に回転させる事によりロッド把手3は円筒形ツマミ9によりせきとめられ下方向に移動できなくなり、ロッド軸4は固定される。
【産業上の利用可能性】
【００１４】
犬の散歩や繋いでいる時に犬の習性により、犬が震動したり、前後左右に動き回る時、リードの先端のスナップが外れないようにして、安全安心を保つことが出来る。他用途でも今現在若い人達の中で流行している財布等を鎖やリード等でスナップに繋いで落とさないようにしていることが多いのでこの発明のスナップをコーディネイトし金属及び弾性を備えたプラスチック素材等で実現できる。それ以外の場面でも使用出来る事は言うまでも無い。犬の首輪にペアファッションや、その他のファッションの要素も取り入れることが可能である。リード部分の色や模様等の組み合わせパターンによって実現できる。
【符号の説明】
【００１５】
1  円状系のフック部
1-1  円柱状の支持部
1-1-1  支持部突起物
1-2  フック開口部
2  リード用具回転部 
3  ロッド把手
4  ロッド軸
5  連結リング
6  コイルバネ
7  首輪の縫着リング
8  外輪ネジ
8-1  内輪ネジ
9  円筒形ツマミ
9-1  ツマミレール
9-1-1  ツマミレール右溝
9-1-2  ツマミレール左溝
9-2  ツマミ開口部
【図１】
0003158101.tif 000003
【図２】
0003158101.tif 000004
【図３】
0003158101.tif 000005
【手続補正書】
【提出日】平成22年1月7日(2010.1.7)
【手続補正１】
【補正対象書類名】実用新案登録請求の範囲
【補正対象項目名】全文
【補正方法】変更
【補正の内容】
【実用新案登録請求の範囲】
【請求項１】
犬の首輪のリングに接続し、かつ、リードの先端を接続するフック状のスナップで、このスナップは、犬の首輪のリングを取り外せるように、円柱状の支持部1-1、ロッド把手3、ロッド軸4、リードを接続する連結リング5からなり、円柱状の支持部1-1には、スライド自在で、常時はコイルバネ6により付勢されてフック開口部1-2を開閉するロッド軸4を有し、当該ロッド軸4を円柱状の支持部1-1に設けたロッド把手3によりスライドさせてフック開口部1-2を開閉でき、スナップが閉じているときに、スナップが開かないようにロッド把手3、又はロッド軸4を固定することを特徴とする固定機能付きスナップ用具。
【請求項２】
前記円柱状の支持部1-1の表面にスパイラル状の雄ネジをほどこした内輪ネジ8-1と、その内輪ネジ8-1にかみ合わせる雌ネジである円筒状、その内側にネジをほどこした外輪ネジ8を設け、外輪ネジ8を回し上げながら締めることにより外輪ネジ8はロッド把手3方向に移動し、ロッド把手3を締めつけ、ロッド把手3を固定し、ロッド軸4が開かないように固定することを特徴とする請求項1に記載の固定機能付きスナップ用具。
【請求項３】
円柱状の支持部1-1に一つの突起である支持部突起物1-1-1を設け、円柱状の支持部1-1の周りに設置された円筒形ツマミ9の内側に、一直線状の溝であるツマミレール9-1、その左端にツマミレール左溝9-1-2、右端にツマミレール右溝9-1-1なる溝を設け、円筒形ツマミ9を左に回し、ツマミレール左溝9-1-2の位置に合わせることにより、ロッド把手3を下方に移動してフック開口部1-2を開くことができ、ツマミレール左端9-1-2の位置からツマミレール右溝9-1-1に回転させる事により、ロッド把手3は円筒形ツマミ9によりせきとめられ下方向に移動できなくなり、ロッド軸4は固定されることを特徴とする請求項1に記載の固定機能付きスナップ。
【手続補正２】
【補正対象書類名】明細書
【補正対象項目名】全文
【補正方法】変更
【補正の内容】
【考案の詳細な説明】
【技術分野】
【０００１】この発明は犬の日常の散歩時や繋がれている時にリードの先端のスナップが外れないようにすることを目的とするリード先端のスナップ用具に関するものである。
【背景技術】
【０００２】従来、犬の散歩時等、引っ張られながら散歩をしている光景をよく見る。他の犬を見た時、獲物等を見た時に瞬時に引っ張ることが多い。犬の体に虫や雨の滴等が付着した時、又は、室内から外へ出た時に湿度差を感じた時等に体を震えさす習性があり、この時にリード先端のスナップが首輪から外れて犬が逃げ出し、人間や交通、犬等に害を及ぼす危険な場合がある。現状のスナップは、図3に示すように、円柱状の支持部1-1とリード用具の回転部2とロッド把手3と連結リング5とコイルバネ6とロッド軸4とで構成され簡単に開閉できるようになっている。【０００３】図3に示すように、犬の動作等でスナップ本体にコイルバネ6と連結されているロッド軸4とロッド把手3が振動により首輪の縫着リング7と摩擦し、すき間ができ外れやすい現象であることが問題となっている。
【先行技術文献】
【特許文献】
【０００４】
【特許文献１】実用新案登録第３１３９０７２号公報
【考案の概要】
【考案が解決しようとする課題】
【０００５】図3に示すように従来のリード先端のスナップは、ロッド把手3を開閉することによりコイルバネ6が圧縮又は伸張され、首輪に縫着されている縫着リング7を取り付け又は取り外す構造である。この構造は、力をあまり入れずに簡単に開閉できることを特徴としているが、簡単に開閉できるということはコイルバネ6が弱いから犬を繋いでいる時、散歩等で犬の習性による引っ張り等で瞬時にかかる瞬発力等の動きや震動でロッド把手3と連結されているロッド軸4とコイルバネ6が震動により動きその拍子に首輪の縫着リング7から外れるので、その外れを防止する手法を提供する。
【課題を解決するための手段】
【０００６】犬の首輪のリングに接続し、かつ、リードの先端を接続するフック状のスナップで、このスナップは、犬の首輪のリングを取り外せるように、フック開口部をもつ、円柱状の支持部1-1、ロッド把手3、ロッド軸4、リードを接続する連結リング5からなり、円柱状の支持部1-1には、スライド自在で、常時はコイルバネ6により付勢されてフック開口部1-2を開閉するロッド軸4を有し、当該ロッド軸4を円柱状の支持部1-1に設けたロッド把手3によりスライドさせてフック開口部1-2を開閉でき、スナップが閉じているときに、スナップが開かないようにロッド把手3、又はロッド軸4を固定する固定機能付きスナップ用具である。【０００７】円柱状の支持部1-1の表面にスパイラル状の雄ネジをほどこした内輪ネジ8-1と、その内輪ネジ8-1にかみ合わせる雌ネジである円筒状、その内側にネジをほどこした外輪ネジ8を設け、外輪ネジ8を回し上げながら締めることにより外輪ネジ8はロッド把手3方向に移動し、ロッド把手3を締めつけ、ロッド把手3を固定し、ロッド軸4が開かないように固定する固定機能付きスナップ用具である。【０００８】円柱状の支持部1-1に一つの突起である支持部突起物1-1-1を設け、円柱状の支持部1-1の周りに設置された円筒形ツマミ9の内側に、一直線状の溝であるツマミレール9-1、その左端にツマミレール左溝9-1-2、右端にツマミレール右溝9-1-1なる溝を設け、円筒形ツマミ9を左に回し、ツマミレール左溝9-1-2の位置に合わせることにより、ロッド把手3を下方に移動してフック開口部1-2を開くことができ、ツマミレール左端9-1-2の位置からツマミレール右溝9-1-1に回転させる事により、ロッド把手3は円筒形ツマミ9によりせきとめられ移動できなくなり、ロッド軸4は固定される固定機能付きスナップである。
【考案の効果】
【０００９】上述のように、この発明の犬のリード先端のスナップによれば外に繋いでいる時も散歩の時でも犬の習性による震動で首輪から外れていたがスナップ本体に固定機能を付加することにより、外れるという問題を解消することができる。
【図面の簡単な説明】
【００１０】
【図１】ネジ方式によるスナップの構成
【図２】回転式によるスナップの構成
【図３】従来のスナップの構成
【考案を実施するための形態】
【００１１】本発明のスナップの構成を図1と図2に示す。本発明のスナップ用具は、犬の首輪のリングに接続し、かつ、リードの先端を接続するフック状のスナップで、このスナップは、犬の首輪のリングを取り外せるように、フック開口部1-2をもつ、長手方向に円柱状の支持部1-1、ロッド把手3、ロッド軸4、リードを接続する連結リング5からなり、円柱状の支持部1には、スライド自在で、常時はコイルバネ6により付勢されてフック開口部1-2を開閉するロッド軸4を有し、当該ロッド軸4は円柱状の支持部1-1に設けたロッド把手3によりロッド軸4をスライドさせてフック開口部1-2を開閉できるスナップにおいて、スナップが閉じているときに、スナップが開かないようにロッド把手3、又はロッド軸4を固定することを特徴とするスナップ用具である。
【実施例１】
【００１２】図1にネジ方式によるスナップの構成を示す。図1に示すように円柱状の支持部1-1の表面にスパイラル状の雄ネジをほどこした内輪ネジ8-1と、その内輪ネジ8-1にかみ合わせる雌ネジである円筒状で、その内側にネジをほどこした外輪ネジ8で構成されている。外輪ネジ8を回し上げながら締めることにより外輪ネジ8はロッド把手3方向に移動し、ロッド把手3を締めつけ、ロッド把手3を固定し、ロッド軸4が開かないように固定する。
【実施例２】
【００１３】図2に回転式によるスナップの構成を示す。円柱状の支持部1-1に一つの突起である支持部突起物1-1-1を設けてあり、円柱状の支持部1-1の周りに設置された円筒形ツマミ9の内側に一直線状の溝であるツマミレール9-1、その左端にツマミレール左溝9-1-2、右端にツマミレール右溝9-1-1を設けている。円筒形ツマミ9を左に回し、ツマミレール左溝9-1-2の位置に合わせることにより、ロッド把手3を下方に移動できフック開口部1-2を開くことができる。ツマミレール左端9-1-2の位置からツマミレール右溝9-1-1に回転させる事によりロッド把手3は円筒形ツマミ9によりせきとめられ下方向に移動できなくなり、ロッド軸4は固定される。
【産業上の利用可能性】
【００１４】犬の散歩や繋いでいる時に犬の習性により、犬が震動したり、前後左右に動き回る時、リードの先端のスナップが外れないようにして、安全安心を保つことが出来る。他用途でも今現在若い人達の中で流行している財布等を鎖やリード等でスナップに繋いで落とさないようにしていることが多いのでこの発明のスナップをコーディネイトし金属及び弾性を備えたプラスチック素材等で実現できる。それ以外の場面でも使用出来る事は言うまでも無い。犬の首輪にペアファッションや、その他のファッションの要素も取り入れることが可能である。リード部分の色や模様等の組み合わせパターンによって実現できる。
【符号の説明】
【００１５】1-1  円柱状の支持部 1-1-1  支持部突起物 1-2  フック開口部2  リード用具回転部 3  ロッド把手4  ロッド軸5  連結リング6  コイルバネ7  首輪の縫着リング8  外輪ネジ8-1  内輪ネジ9  円筒形ツマミ  9-1  ツマミレール  9-1-1  ツマミレール右溝  9-1-2  ツマミレール左溝  9-2  ツマミ開口部
【手続補正３】
【補正対象書類名】図面
【補正対象項目名】全図
【補正方法】変更
【補正の内容】
【図１】
0003158101.tif 000006
【図２】
0003158101.tif 000007
【図３】
0003158101.tif 000008